(57)【要約】      （修正有）【課題】コンセントおよびマルチタップの接地端子に接地線が接続されているか否かを，日常的に，煩わしいことなく，しかも施工時などにおいて商用電源の必要なく，コンセントにプラグを差込む差込口近傍から確認することができ，接地の系統に不具合が予想される場合，故障点の把握や原因の切り分けを迅速に行うことができる接地極付のコンセントおよびマルチタップを提供すること。【解決手段】接地端子部に，接地線を接地端子に接続する場合に駆動し，前記接地線が接地端子に接続されているか否かの判別状態が外部から識別可能な判別状態識別部１００を有する接地線接続状態判別手段を設けて，判別状態識別部を，差込プラグが差込まれる側に配置して，判別状態の識別を差込みプラグを差込む差込口近傍から行えるようにしたことを特徴として接地極付のコンセントを提供した。【選択図】図１
2010205567.tif 000002
【特許請求の範囲】
【請求項１】
差込プラグを接続する接地極付のコンセントであって，
前記接地極を構成する接地線を接続するための接地端子と，
前記接地端子と電気的に接続される電気機器のアース線を接続するためのアースターミナルと，
差込プラグが差込まれるプラグ受とを備えるとともに，
前記接地線を接地端子に接続した場合に駆動し，
前記接地線が接地端子に接続されているか否かの判別状態が外部から識別可能な判別状態識別部を有する接地線接続状態判別手段を設けて，
前記判別状態識別部を，差込プラグが差込まれる側に配置して，
判別状態の識別を差込みプラグを差込む側から行えるようにしたことを特徴とする接地極付のコンセント。
【請求項２】
差込プラグを接続する接地極付のコンセントであって，
前記接地極を構成する接地線を接続するための接地端子と
前記接地端子と電気的に接続される電気機器のアース線を接続するためのアースターミナルと，
差込プラグが差込まれるプラグ受とを備えるとともに，
前記接地線が接地端子に接続されているか否かを判別する接地線接続状態判別手段と，
前記接地線接続状態判別手段と接続されて，前記判別の状態が外部から識別可能な判別状態識別部とを有し，
前記判別状態識別部を，差込みプラグが差込まれる側に配置して，
判別状態の識別を差込みプラグを差込む側から行えるようにしたことを特徴とする接地極付のコンセント。
【請求項３】
差込プラグを接続する接地極付のマルチタップであって，
前記接地極を構成する接地線を接続するための接地端子と
前記接地端子と電気的に接続される電気機器のアース線を接続するためのアースターミナルと，
差込プラグが差込まれるプラグ受とを備えるとともに，
前記接地線を接地端子に接続した場合に駆動し，
前記接地線が接地端子に接続されているか否かの判別状態が外部から識別可能な判別状態識別部を有する接地線接続状態判別手段を設けて，
前記判別状態識別部を，差込プラグが差込まれる差込口近傍に配置して，
判別状態の識別を差込みプラグを差込む側から行えるようにしたことを特徴とする接地極付のマルチタップ。
【請求項４】
差込プラグを接続する接地極付のマルチタップであって，
前記接地極を構成する接地線を接続するための接地端子と
前記接地端子と電気的に接続される電気機器のアース線を接続するためのアースターミナルと，
差込プラグが差込まれるプラグ受とを備えるとともに，
前記接地線が接地端子に接続されているか否かを判別する接地線接続状態判別手段と，
前記接地線接続状態判別手段と接続されて，前記判別の状態が外部から識別可能な判別状態識別部とを有し，
前記判別状態識別部を，差込みプラグが差込まれる差込口近傍に配置して，
判別状態の識別を差込みプラグを差込む側から行えるようにしたことを特徴とする接地極付のマルチタップ。
【発明の詳細な説明】
【技術分野】
【０００１】
本発明は，コンセントおよびマルチタップに関するものである。特に，本発明は，接地極を有し，前記接地極に接地線が正常に接続されているか否かを判別することができる接地極付のコンセントおよびマルチタップに関するものである。
【背景技術】
【０００２】
第１１図は，特許文献１（第１図）に示された端子装置の例である。特許文献１の発明は，従来からスイッチやコンセントのような配線器具においては，前記配線器具に接続する電線の接続完了表示を行うものがあったが，その表示部位が見えない状況下で施工する際には接続完了表示が確認できないものであったことに鑑み，電線の接続完了表示を，視覚的のみならず聴覚的にも確認できることを目的として成されたものである。
【０００３】
第１２図は，特許文献２（第１図）に示された端子装置の例である。特許文献２の発明は，配線器具に接続する電線が確実に接続されているのか否かが外部から分からないため，施工者に対して不安感を与えるという問題に鑑みて成されたものであり，手動操作によって錠ばねによる鎖錠を解除するようにした速結端子装置を備えた配線器具が開示されている。
【０００４】
また，特許文献３は，感電を防止するアース端子を備えたアース端子付き差込プラグおよびコードリールに関するものであり，アースの有無を忠実に反映する表示を有するアース端子付き差込プラグおよびコードリールの開示が成されている。
【先行技術文献】
【特許文献】
【０００５】
【特許文献１】特開２００６−０１２６３４号
【特許文献２】特開２００７−１４９６２９号
【特許文献３】特開２００２−１６４１２８号
【発明の概要】
【発明が解決しようとする課題】
【０００６】
ところで，前述の特許文献１，２のような，電線を接続したことを表示する装置は，通常，コンセントの接地端子側，即ちコンセントが取り付けられる造営材に対してプラグが差込まれる部分とは反対側で，コンセントの施工時において施工業者によって接地線が接続される面に設けられている。このため，施工後においては，接地端子に接地線が接続されているか否かを確認しようとすると，コンセントを造営材から取り外したうえ背面を見ることで確認したり，電圧相と接地相の間にネオンランプなどを接続して，接地相が電気的に機能しているか否かを確認する必要があり，日常的に手軽に接地の確認を行うようなものではなかった。
【０００７】
また，前述の特許文献３のようなアース端子付き差込プラグおよびコードリールの使用に当たっては，コンセントにおける接地端子に，接地線が接続されていることが前提となる。接地端子に接地線が接続されていない場合には，アース表示ランプは点灯しないが，このような場合，前記プラグやコードリールの表示に不具合があるのか，コンセントの側に不具合があるのか，また，接地系統のどこに問題があるのかがすぐには分からず，原因を把握するためには，コンセントを造営材から取り外して確認したり，電圧相と接地相の間にネオンランプなどを接続して確認する必要があり，故障点の調査を行うために時間と手間がかかるものであった。
【０００８】
そこで本件の発明は，上述の課題に鑑み，コンセントおよびマルチタップの接地端子に接地線が接続されているか否かを，日常的に，煩わしいことなく，しかも施工時などにおいて商用電源の必要なく，コンセントにプラグを差込む側から確認することができ，接地の系統に不具合が予想される場合，故障点の把握や原因の切り分けを迅速に行うことができる接地極付コンセントおよびマルチタップを提供することを目的とする。
【課題を解決するための手段】
【０００９】
上述の目的を達成するために，本発明の請求項１では，差込プラグを接続する接地極付のコンセントであって，前記接地極を構成する接地線を接続するための接地端子と，前記接地端子と電気的に接続される電気機器のアース線を接続するためのアースターミナルと，差込プラグが差込まれるプラグ受とを備えるとともに，前記接地線を接地端子に接続する場合に駆動し，前記接地線が接地端子に接続されているか否かの判別状態が外部から識別可能な判別状態識別部を有する接地線接続状態判別手段を設けて，前記判別状態識別部を，差込プラグが差込まれる側に配置して，判別状態の識別を差込みプラグを差込む側から行えるようにしたことを特徴として接地極付のコンセントを提供したものである。
【００１０】
このような構成によれば，接地線接続状態判別手段を，差込プラグが差込まれる側に配置したから，判別状態の識別を差込プラグを差込む側から行え，コンセントの接地端子に接地線が接続されているか否かを，日常的に，しかも煩わしいことなく，コンセントにプラグを差込む側から確認することができ，接地の系統に不具合が予想される場合，故障点の把握や原因の切り分けを迅速に行うことができる。また，接地線をコンセントに接続する際の挿入力を用いて駆動させるため，施工時や使用開始後における判別状態の識別にあたっては，商用電源を必要としないように構成することができる。
【００１１】
また，請求項２による接地極付きコンセントは，請求項１における接地線接続状態判別手段のうち，判別状態識別部を分離し，前記接地線接続状態判別手段と電気的に接続して，判別状態の識別を差込みプラグを差込む側から行えるように判別状態識別部を設けて構成したことを特徴としたものである。
この構成によれば，前記判別状態識別部の設置に自由度が得られ，接地線接続状態判別手段の場所に関わらず，視覚的に見やすい位置に，判別状態識別部を設けて，コンセントの接地端子に接地線が接続されているか否かを，日常的に，しかも煩わしいことなく，コンセントにプラグを差込む側から確認することができ，接地の系統に不具合が予想される場合，故障点の把握や原因の切り分けを迅速に行うことができる。
【００１２】
また，請求項３による接地極付きマルチタップは，差込プラグを接続する接地極付のマルチタップであって，前記接地極を構成する接地線を接続するための接地端子と前記接地端子と電気的に接続される電気機器のアース線を接続するためのアースターミナルと，差込プラグが差込まれるプラグ受とを備えるとともに，前記接地線を接地端子に接続した場合に駆動し，前記接地線が接地端子に接続されているか否かの判別状態が外部から識別可能な判別状態識別部を有する接地線接続状態判別手段を設けて，前記判別状態識別部を，差込プラグが差込まれる側に配置して，判別状態の識別を差込みプラグを差込む側から行えるようにしたことを特徴として接地極付きマルチタップを提供したものである。
この構成によれば，接地線接続状態判別手段を，差込プラグが差込まれる側に配置したから，判別状態の識別を差込プラグを差込む側から行え，マルチタップの接地端子に接地線が接続されているか否かを，日常的に，しかも煩わしいことなく，マルチタップにプラグを差込む側から確認することができ，接地の系統に不具合が予想される場合，故障点の把握や原因の切り分けを迅速に行うことができる。また，接地線をマルチタップに接続する際の挿入力を用いて駆動させるため，施工時や使用開始後における判別状態の識別にあたっては，商用電源を必要としないように構成することができる。
【００１３】
また，請求項４による接地極付マルチタップは，請求項３における接地線接続状態判別手段のうち，判別状態識別部を分離し，前記接地線接続状態判別手段と接続して，判別状態の識別を差込みプラグを差込む側から行えるように判別状態識別部を設けて構成したことを特徴としたものである。
この構成によれば，前記判別状態識別部の設置に自由度が得られ，接地線接続状態判別手段の場所に関わらず，視覚的に見やすい位置に，判別状態識別部を設けて，コンセントの接地端子に接地線が接続されているか否かを，日常的に，しかも煩わしいことなく，コンセントにプラグを差込む側から確認することができ，接地の系統に不具合が予想される場合，故障点の把握や原因の切り分けを迅速に行うことができる。
【発明の効果】
【００１４】
本発明によれば，コンセントおよびマルチタップの接地端子に接地線が接続されているか否かを，日常的に，しかも煩わしいことなく，コンセントにプラグを差込む側から確認することができ，接地の系統に不具合が予想される場合，故障点の把握や原因の切り分けを迅速に行うことができる接地極付コンセントおよびマルチタップを提供することができる。また，接地線接続状態判別手段は，接地線をコンセントに接続する際の挿入力をトリガとして駆動させるため，施工時や使用開始後における判別状態の識別にあたっては，商用電源を必要とせず，エネルギー消費が低い接地線接続状態判別手段を備えたコンセントおよびマルチタップを構成することができる。
【図面の簡単な説明】
【００１５】
【図１】第一の実施形態における接地極付コンセントならびに差込みプラグの外観図を示す。
【図２】第一の実施形態における接地極付コンセントの造営材への取り付け図ならびに概略構成図を示す。
【図３】第一の実施形態における電線挿入前の接地線接続状態判別手段の要部外観図を示す。
【図４】第一の実施形態における電線挿入時の接地線接続状態判別手段の要部外観図を示す。
【図５】第一の実施形態における他の例の電線挿入前の接地線接続状態判別手段の要部外観図を示す。
【図６】第一の実施形態における他の例の電線挿入時の接地線接続状態判別手段の要部外観図を示す。
【図７】第二の実施形態における接地線接続状態判別手段のブロック構成図を示す。
【図８】第三の実施形態におけるマルチタップの外観図を示す。
【図９】第三の実施形態における電線挿入前の接地線接続状態判別手段の要部外観図を示す。
【図１０】第三の実施形態における電線挿入時の接地線接続状態判別手段の要部外観図を示す。
【図１１】端子装置を示す図。
【図１２】コンセントの内部構造を示す図。 
【発明を実施するための形態】
【００１６】
以下，図面を参照して本発明の実施形態を説明する。尚，以下に説明する各実施形態では，コンセントやマルチタップにおける差込プラグを差込める数が２つのものを例示しているが，１つのみのものや３つ以上のものなど種々のものに適用してもよい。
【００１７】
（実施形態１）
本実施形態の接地極付コンセント１は，図１に示したような，壁面等を構成する造営材４０に埋め込み取り付けされて，差込プラグ２を差込むことにより使用されるコンセントである。前記コンセント１は，造営材の内側にて予め施工された電気配線と接続され，外側から差込みプラグ２を差込んで使用する。
【００１８】
また，図２に示したように，コンセント１は，造営材４０に予め設けられた埋込孔にコンセントを埋込取付けするための取付枠と，前記埋込孔の周囲を囲む形で前記取付枠に固定されるプレート枠２０と，前記プレート枠２０に，造営材４０に対してプラグが差込まれる側に取り付けられる化粧枠３０とを備えている。
【００１９】
コンセント１の外郭は，一般的なコンセントと互換性を保つように構成しており，コンセントにおける造営材の内側となる面には，電圧相，中性相，接地相の電線を接続する接続端子ならびに電線挿入孔を備え，造営材の外側となる面には，前記電圧相，中性相，接地相の各相に電気的に接続され，接地極付のプラグが差込まれるプラグ刃受とを備えている。そして，造営材の外側となる面には，前記接地相の電線（接地線）が接地端子に接続されているか否かの判別状態を識別し得る判別状態確認窓１００が外部から視認可能に設けられている。ここで，コンセントにおける造営材の内側となる面に設けられて接地相の電線を接続する接続端子が接地端子１０１であり，コンセントにおける造営材の外側となる面に設けられて前記接地端子１０１と電気的に接続される電気機器のアース線を接続するための接続端子がアースターミナル１０２である。アースターミナルは，プラグの接地極を差込接続できるようプラグ刃受により構成される。また，プラグの接地極が電線で構成されている場合には，接地極の電線を接続できるようアースターミナルをねじ式端子により構成してもよい。
【００２０】
コンセントにおける造営材の内側となる面に備えられる接続端子については，その接続部については配線器具では一般的に用いられている速結式端子により構成している。前記速結式端子は，接続される電線に接触して導通を得る端子板と，端子板に電線を押し付ける鎖錠ばねと，前記鎖状ばねの周囲に配設された導体を備えている。電線との接続は，コンセントの器体に設けられた電線挿入孔に電線を差込むことにより行われ，電線は電線挿入孔の内部に配設されてある鎖状ばねと端子板との間に入り込み，鎖状ばねの弾性により端子板に電線が押し付けられて，導通状態となる。接地端子１０１の接続部についても同様である。
【００２１】
前記接続端子のうち，接地端子近傍には，接地線を接地端子に接続する場合に前記接地線の変位により駆動する前記判別状態識別部を有する接地線接続状態判別手段を設けている。図３乃至図６には，接地線を電線挿入孔に挿入するときの挿入力を用いて駆動し，接地線を接続した場合としない場合とで，前記判別状態識別部の外部からの視認状態が変化し，接地端子に接地線が接続されている限りは，外部から常に，前記判別状態識別部を視認することができる接地線接続状態判別手段の例を示した。
【００２２】
まず，図３および図４の接地線接続状態判別手段２００ａは，前記接地線の挿入力を受けて回転することにより，判別状態識別部２０１ａが外部から視認可能になるものである。前記接地線接続状態判別手段２００ａは，コンセント１の内部に回動自在に設けられ，一端には電線の挿入通路１０４に露出して電線の導体部に当接することにより回動力を得る当接部２０２ａを備え，他端には電線が前記当接部２０２ａに当接することにより回転して，判別状態確認窓１００から視認可能な判別状態識別部２０１ａを備えて構成された接地線接続状態判別手段２００ａを示している。
【００２３】
前記当接部２０２ａには，前記電線が当接したときに電線挿入の動きを妨げず，なおかつ，挿入方向の力を受けて回転方向に分力が得られるように，挿入方向に対して傾斜させた面を設けている。
【００２４】
これにより，接地線３を電線挿入孔１０３に挿入すると，電線の導体部は挿入通路１０４をとおり，当接部２０２ａに当接し，接地線接続状態判別手段２００ａが図中右回りに回転し，判別状態識別部２０１ａが判別状態確認窓１００から視認可能に変位し，コンセント１のプラグを差込む側から，接地線が接地端子に接続されていることが分かる。接地線３を引き抜いた場合には，前記接地線接続状態判別手段２００ａは図中左回りに回転し，判別状態識別部２０１ａが判別状態確認窓１００から視認不可能に変位し，引き抜いたことがコンセント１のプラグを差込む側から分かる。
【００２５】
次に，図５および図６の接地線接続状態判別手段２００ｂは，前記接地線の挿入力を受けて挿入方向に押圧されることにより，判別状態識別部２０１ｂが外部から視認可能になるものである。前記接地線接続状態判別手段２００ｂは，細長棒状に形成され，電線の挿入通路１０４，前記挿入通路１０４に連通する空洞部２０４ｂ，前記空洞部２０４ｂに連通するガイド部２０５ｂ内に，接地線と軸が略同じくなるよう配置される。
【００２６】
前記接地線接続状態判別手段２００ｂは，一端には，接地線の導体と正対して当接する当接部２０２ｂを備え，略中央部には，前記接地線の挿入方向とは逆の方向に判別状態識別部２０１ｂを付勢させる弾性体と，前記弾性体の力を受け止めるとともに，前記空洞部内壁に当接して接地線接続状態判別手段２００ｂの位置を規制するストッパ２０６ｂを有して設けられる。また，判別状態識別部２０１ｂの周辺は，ガイド部２０５ｂに沿って撓み性を有するよう弾性部材で形成される。
【００２７】
これにより，接地線３を電線挿入孔１０３に挿入していくと，電線の導体部は，挿入通路１０４に正対した当接部２０２ｂに当接し，弾性体の力に抗して接地線接続状態判別手段２００ｂを押圧していき判別状態識別部２０１ｂが判別状態確認窓１００から視認可能に変位し，コンセント１の外部から，接地線が接地端子に接続されていることが分かる。接地線３を引き抜いた場合には，前記接地線接続状態判別手段２００ｂは弾性体の押圧力により電線挿入孔入り口の方向に変位し，併せて，判別状態識別部２０１ｂが判別状態確認窓１００から視認不可能に変位し，引き抜いたことがコンセント１のプラグを差込む側から分かる。
【００２８】
（実施形態２）
本実施形態の接地極付のコンセントにおける外形の構成は，前述の実施形態１と同様である。
【００２９】
本実施形態においては，図７に示したように，前述の接続端子のうち，接地端子近傍に，接地線を接地端子に接続する場合に前記接地線の変位を受けて電気的に駆動する接地線接続状態判別手段３００を設けたものである。そして，接地線接続状態判別手段３００と接続されて，前記接地線接続状態判別手段３００からの出力信号を受けて駆動し，判別の状態が外部から識別可能に変化する判別状態識別部４００とを備えたものである。
【００３０】
接地線接続状態判別手段３００は，接地線を電線挿入孔に挿入／引抜するときに駆動されるスイッチ３０２と，前記スイッチ３０２の出力を受けて駆動するワンショット回路３０４と，前記ワンショット回路に電源を供給する電源３０３とを備えている。また，ワンショット回路への電源供給を時間的に制御するタイマー回路３０５を備えている。
【００３１】
スイッチ３０２は，接地線を電線挿入孔に挿入したときと挿入していないときとの二つの状態を検出できるよう，２つの接点系統を設けて構成したものであり，接地線の挿入力を受けて第一の接点が閉路するとともに，接地線を接続していないときは一定の方向に付勢されて第二の接点が閉路するもので，前述の実施形態１のように，接地線の挿入時に当接して回転するレバーの変位を受けて接点の開閉を行うマイクロスイッチや，接地線の挿入時に押圧されて変位し接点の開閉を行うマイクロスイッチを用いて構成するとよい。
【００３２】
ワンショット回路３０４は，前記スイッチ３０２の出力を受けて，所定時間ＯＮとなる矩形波信号を出力するものである。前記ワンショット回路は，フリップフロップ回路を用いて構成してもよいし，ワンショット機能を持つマイコンにより構成してもよく，種々の回路を用いて構成するとよい。
【００３３】
電源３０３には，電池を用いている。コンセントは一般的に長期間使用が行われるため，電池には一次電池のほか，二次電池を用いてもよい。また，コンデンサや，静電容量が大きな電気二重層を用いて構成してもよい。なお，二次電池を用いる場合には，コンセントに接続される電圧相と中性相に接続して充電を行う充電回路を設けて，前記二次電池に充電を行う構成としてもよい。
【００３４】
タイマー回路３０５は，前記ワンショット回路３０４への電源供給時間を，電源の供給開始から一定時間後に制御するものである。タイマー回路としては，カウンター回路を用いて構成したタイマーでもよいし，コンデンサと抵抗を用いて構成した所定の放電時間を有する放電回路をタイマーとして用いたものでもよい。
【００３５】
判別状態識別部４００は，前記ワンショット回路３０４からの出力を受けて，外部から視認可能な表示部の状態が変化するものである。また，表示の状態は自己保持を行うものであり，ワンショット回路からの出力が行われない無電力の場合でも，そのときの状態を保持する。
【００３６】
このようなものとして，例えば，永久磁石と，ワンショット回路からの出力信号を受けて駆動する電磁石とを組み合わせた自己保持型の表示部を構成するとよい。前記表示部は，略コの字形に形成されたヨークの両端間に永久磁石を設けた判別部を回動自在に軸支することにより構成している。
【００３７】
ヨークに巻回されたコイルに流す電流の方向を違えることにより，前記ヨークの両端間に生ずる磁極の極性が変化し，永久磁石とヨークとの磁極間で反発動作／吸引動作を利用して，前記判別部を一の状態から他の状態に回転させることで表示部の表示状態を変化させるものである。判別状態確認窓１００から表示常態の変化が視認できるよう，判別部は色分けされて構成する。
【００３８】
これにより，接地線３を電線挿入孔１０３に挿入していくと，電線によりスイッチ３０２が駆動されて，ワンショット回路３０４に電源３０３が供給される。ワンショット回路３０４は，所定の時間だけ出力信号を出力する。前記出力信号を受けた判別状態識別部４００は，判別状態確認窓に臨む前記判別部の状態を変化させることにより，差込プラグを差込む側からから接地線が接地端子に接続されていることが識別できる。ワンショット回路３０４への電源供給は，タイマー回路３０５により一定時間後に停止されるため，電源の消耗は極力抑えられる。
【００３９】
また，接地線を引抜くときにも，スイッチ３０２が駆動されて，ワンショット回路３０４に電源が供給され，出力信号を出力する。前記出力信号を受けた判別状態識別部４００は，判別状態確認窓に臨む前記判別部の状態を変化させることにより，差込プラグを差込む側からから接地線が接地端子に接続されていなことを識別できる。なお，ワンショット回路から判別状態識別部４００に出力する出力信号の極性を，接地線を挿入するときと，引抜くときとで，変化させるように構成しておく。
【００４０】
このように構成した判別状態識別部４００の判別部を，造営材４０に設けられる埋込孔にコンセントを埋込取付けするための取付枠や，埋込孔の周囲を囲む形で前記取付枠に固定されるプレート枠，造営材４０に対してプラグが差込まれる側に取り付けられる化粧枠３０，に設けて構成するとよい。
【００４１】
これにより，前記判別部を取り付ける場所に自由度が得られ，電線挿入孔の延長線上のみならず，視覚的に見やすい位置に判別状態識別部を設けることができる。
【００４２】
（実施形態３）
本実施形態のマルチタップ１０００は，図８に示したような，一つのコードから二つの分岐接続ができるもので，固定しないで使用するものである。図中，上部の凹部から，コードを接続して電源を供給し，差込プラグを差込んで使用する。
【００４３】
マルチタップ１０００の外郭は，一般的なマルチタップと互換性を保つように構成しており，マルチタップにおけるコード接続部には，電圧相，中性相，接地相の電線を接続する接続端子ならびに電線挿入孔を備え，筐体内部では，前記電圧相，中性相，接地相の各相に電気的に接続され，接地極付のプラグが差込まれるプラグ刃受とを備えている。そして，差込プラグを差込む面には，前記接地相の電線（接地線）が接地端子に接続されているか否かの判別状態を識別し得る判別状態確認窓１００が外部から視認可能に設けられている。
【００４４】
接続端子については，前述の実施形態１，２と同様に，その接続部については配線器具では一般的に用いられている速結式端子により構成している。前記速結式端子は，接続される電線に接触して導通を得る端子板と，端子板に電線を押し付ける鎖錠ばねと，前記鎖状ばねの周囲に配設された導体を備えている。電線との接続は，コンセントの器体に設けられた電線挿入孔に電線を差込むことにより行われ，電線は電線挿入孔の内部に配設されてある鎖状ばねと端子板との間に入り込み，鎖状ばねの弾性により端子板に電線が押し付けられて，導通状態となる。
【００４５】
前記接続端子のうち，接地端子近傍には，接地線を接地端子に接続する場合に前記接地線の変位により駆動する前記判別状態識別部を有する接地線接続状態判別手段を設けている。図９および図１０には，接地線を電線挿入孔に挿入するときの挿入力を用いて駆動し，接地線を接続した場合としない場合とで，前記判別状態識別部の外部からの視認が変化し，接地端子に接地線が接続されている限りは，外部から常に，前記判別状態識別部を視認することができる接地線接続状態判別手段の例を示した。
【００４６】
次に，図９および図１０の接地線接続状態判別手段２００ｃは，前記接地線の挿入力を受けて挿入方向に押圧されることにより，判別状態識別部２０１ｃが外部から視認可能になるものである。前記接地線接続状態判別手段２００ｃは，細長棒状に形成され，電線の挿入通路１０４，前記挿入通路１０４に連通する空洞部２０４ｃ，前記空洞部２０４ｃに連通するガイド部２０５ｃ内に，接地線と軸が略同じくなるよう配置される。
【００４７】
前記接地線接続状態判別手段２００ｃは，一端には，接地線の導体と正対して当接する当接部２０２ｃを備え，略中央部には，前記接地線の挿入方向とは逆の方向に判別状態識別部２０１ｃを付勢させる弾性体２０３ｃと，前記弾性体の力を受け止めるとともに，前記空洞部内壁に当接して接地線接続状態判別手段２００ｃの位置を規制するストッパ２０６ｃを有して設けられる。また，判別状態識別部２０１ｃの周辺は，ガイド部２０５ｃに沿って撓み性を有するよう弾性部材で形成される。
【００４８】
これにより，接地線３を電線挿入孔１０３に挿入していくと，電線の導体部は，挿入通路１０４に正対した当接部２０２ｃに当接し，弾性体の力に抗して接地線接続状態判別手段２００ｃを押圧していき判別状態識別部２０１ｃが判別状態確認窓１００から視認可能に変位し，コンセント１の外部から，接地線が接地端子に接続されていることが分かる。接地線３を引き抜いた場合には，前記接地線接続状態判別手段２００ｃは弾性体の押圧力により電線挿入孔入り口の方向に変位し，併せて，判別状態識別部２０１ｃが判別状態確認窓１００から視認不可能に変位し，引き抜いたことがコンセント１のプラグを差込む側から分かる。
【００４９】
また，本実施形態においても，図３及び図４に示したように，接地線接続状態判別手段を，前記接地線の挿入力を受けて回転する構成として，判別状態識別部が外部から視認可能になるように設けてもよい。その他，種々，接地線の変位により駆動する前記判別状態識別部を有する接地線接続状態判別手段を設けて構成するとよい。
【００５０】
（実施形態４）
本実施形態の接地極付のマルチタップにおける外形の構成は，前述の実施形態３と同様である。
【００５１】
また，本実施形態においても，図７に示したように，前述の接続端子のうち，接地端子近傍に，接地線を接地端子に接続する場合に前記接地線の変位を受けて電気的に駆動する接地線接続状態判別手段３００を設けたものである。そして，接地線接続状態判別手段３００と接続されて，前記接地線接続状態判別手段３００からの出力信号を受けて駆動し，判別の状態が差込みプラグを差込む側から識別可能に変化する判別状態識別部４００とを備えたものである。
【００５２】
なお，本実施形態においては，マルチタップのプラグを差込む側に判別状態確認窓１００を設ける他，マルチタップの筐体におけるプラグを差込む面を正面とした場合に，上面や底面，また，左右側面の，プラグを差込むときに視認可能なプラグ差込口近傍に設けて構成してもよい。
【００５３】
これにより，マルチタップは，固定しないで使用されることが前提であるため，前記正面からの判別状態識別部の視認が困難である場合でも，側面などから視認を行いやすくなる。
【００５４】
このように，接地線が接地端子に接続されているか否かの判別状態が，コンセントやマルチタップの筐体におけるプラグを差込む側から行うことができるように判別状態識別部を設けて，しかも，接地線接続状態判別手段は，接地線をコンセントに接続する際の挿入力をトリガとして駆動させるため，施工時や使用開始後における判別状態の識別にあたっては，商用電源を必要とせず，エネルギー消費を低く接地線接続状態判別手段を備えたコンセントおよびマルチタップを構成でき，なおかつ，コンセント，ならびに，およびマルチタップの接地端子に接地線が接続されているか否かを，日常的に，しかも煩わしいことなく，コンセントにプラグを差込む側から確認することができ，接地の系統に不具合が予想される場合，故障点の把握や原因の切り分けを迅速に行うことができる接地極付コンセントおよびマルチタップを提供することができる。
【産業上の利用可能性】
【００５５】
本件の発明は，住宅用や産業用に一般的に用いられる接地極付コンセントやマルチタップに広く適用できる可能性がある。
【符号の説明】
【００５６】
１  コンセント
２  差込プラグ
３  接地線
２０  プレート枠
３０  化粧枠
４０  造営材
１００  判別状態確認窓
１０１  接地端子
１０２  アースターミナル
１０３  電線挿入孔
１０４  挿入通路
２００  接地線接続状態判別手段
２０１  判別状態識別部
２０２  当接部
２０３  弾性体
２０４  空洞部
２０５  ガイド部
２０６  ストッパ
３００  接地線接続状態判別手段
３０２  スイッチ
３０３  電源
３０４  ワンショット回路
３０５  タイマー
４００  判別状態識別部
１０００  マルチタップ
【図１】
2010205567.tif 000003
【図２】
2010205567.tif 000004
【図３】
2010205567.tif 000005
【図４】
2010205567.tif 000006
【図５】
2010205567.tif 000007
【図６】
2010205567.tif 000008
【図７】
2010205567.tif 000009
【図８】
2010205567.tif 000010
【図９】
2010205567.tif 000011
【図１０】
2010205567.tif 000012
【図１１】
2010205567.tif 000013
【図１２】
2010205567.tif 000014